(57)【特許請求の範囲】
【請求項１】
敷居の敷居溝に案内されながら開閉される戸を備えるエレベータ装置において、
戸開時に出入口の敷居溝内に敷設され上記敷居溝を閉塞する帯状の閉塞帯と、
上記閉塞帯が巻き掛けられた滑車と、
上記閉塞帯の端部に吊り下げられ、戸開時に上記閉塞帯に張力を与えるとともに、戸閉時にはその重量により上記閉塞帯を上記滑車側に収納する重りと、
出入口の敷居溝内に敷設された上記閉塞帯を収納するとき上記閉塞帯の上面を清掃する清掃手段と、
を備え、
上記清掃手段は、上記戸の移動方向に対して傾くように前記戸に設けられた回転軸と、上記回転軸を中心に回転する回転板とを有した清掃用回転ブラシであり、
上記回転板は、上記戸が移動するときに、上記閉塞帯との間で働く摩擦力により回転して、上記閉塞帯の上面を掃くことを特徴とするエレベータ装置。
【発明の詳細な説明】
【技術分野】
【０００１】
この発明は、エレベータ装置に関し、特に敷居の敷居溝内に異物が挟まれないエレベータ装置に関するものである。
【背景技術】
【０００２】
敷居溝内への異物の混入を未然に防止して、異物により戸の開閉ができなくなるのを防止するために、一方の戸の下端部にゴムベルト等からなる閉塞帯の一端部を固定するとともに、この閉塞帯を他方の戸の下端部の滑車に巻き掛けて、戸開時に敷居溝内に閉塞帯を敷設して敷設溝を閉塞するようにし、また、滑車に巻き掛けられた閉塞帯の他端部には、重りを吊り下げて、閉塞帯に張力を与えるとともに、戸閉時に重りの重量により閉塞帯を戸側へ収納するようにすることが提案されている（例えば、特許文献１参照）。
【０００３】
【特許文献１】特開平６−５６３７７号公報
【発明の開示】
【発明が解決しようとする課題】
【０００４】
しかし、特許文献１のように、戸開時に敷居溝内に閉塞帯を敷設して敷居溝を閉塞したときに閉塞帯の上に異物が載ると、戸閉時重りの重量により閉塞帯を戸側に収納するとき、滑車と閉塞帯との間で異物を噛み込み、閉塞帯が収納されずに戸の移動を妨げるという問題がある。
【０００５】
この発明の目的は、戸の移動を案内する敷居溝の中に異物が入り込まないように敷居溝を閉塞する閉塞帯がスムーズに収納されるエレベータ装置を提供することである。
【課題を解決するための手段】
【０００６】
この発明に係るエレベータ装置は、敷居の敷居溝に案内されながら開閉される戸を備えるエレベータ装置において、戸開時に出入口の敷居溝内に敷設され上記敷居溝を閉塞する帯状の閉塞帯と、上記閉塞帯が巻き掛けられた滑車と、上記閉塞帯の端部に吊り下げられ、戸開時に上記閉塞帯に張力を与えるとともに、戸閉時にはその重量により上記閉塞帯を上記滑車側に収納する重りと、出入口の敷居溝内に敷設された上記閉塞帯を収納するとき上記閉塞帯の上面を清掃する清掃手段と、を備え、上記清掃手段は、上記戸の移動方向に対して傾くように前記戸に設けられた回転軸と、上記回転軸を中心に回転する回転板とを有した清掃用回転ブラシであり、上記回転板は、上記戸が移動するときに、上記閉塞帯との間で働く摩擦力により回転して、上記閉塞帯の上面を掃く。
【発明の効果】
【０００７】
この発明に係るエレベータ装置の効果は、戸開時に出入口の敷居溝内に敷設され敷居溝を閉塞する帯状の閉塞帯と、閉塞帯が巻き掛けられた滑車と、閉塞帯の端部に吊り下げられ且つ戸開時に閉塞帯に張力を与えるとともに戸閉時にはその重量により閉塞帯を滑車側に収納する重りと、出入口の敷居溝内に敷設された閉塞帯を収納するとき閉塞帯の上面を清掃する清掃用回転ブラシと、を備えるので、閉塞帯を戸内に収納するとき閉塞帯の上面には異物がなく、閉塞帯とガイドプーリーおよび閉塞帯と滑車の間に異物を噛み込むことがなくなることである。
【発明を実施するための最良の形態】
【０００８】
図１は、この発明の実施の形態に係るエレベータ装置の乗りカゴの戸の正面図である。なお、図１の戸は全閉位置に位置しており、戸の内部が分かるように一方のパネルを取り除いて図示している。図２は、この発明の実施の形態に係る戸の内部に配備されたガイドプーリーおよび清掃用回転ブラシを上方から見た図である。
この発明の実施の形態に係るエレベータ装置は、敷居溝３が設けられたそれぞれの敷居２に水平移動が案内されるエレベータの乗りカゴの戸１および各乗場の戸を具備している。なお、以下の説明では、エレベータの乗りカゴの戸１に関わる内容について説明するが、各乗場の戸に関わる内容も同様であるので説明は省略する。また、両開き戸である戸１ａ、１ｂに関して説明するが、片開き戸である戸１であっても同様に適用することができる。
【０００９】
そして、この発明の実施の形態に係るエレベータ装置は、図１に示すように、戸開時に出入口の敷居溝３内に敷設され敷居溝３を閉塞する帯状の閉塞帯１３、閉塞帯１３を敷居溝３内に案内するガイドプーリー１１、１２、閉塞帯１３が巻き掛けられた滑車１５、閉塞帯１３の端部に吊り下げられ且つ戸開時に閉塞帯１３に張力を与えるとともに戸閉時にはその重量により閉塞帯１３を滑車１５側に収納する重り１７、および、出入口の敷居溝３内に敷設された閉塞帯１３を収納するとき閉塞帯１３の上面を清掃する清掃手段としての清掃用回転ブラシ１８を備える。
【００１０】
一方の戸１ａの下端部には、回転自在のガイドプーリー１１が取り付けられており、このガイドプーリー１１の下端部は敷居溝３内に位置している。また、戸１ａのガイドプーリー１１の上端部よりは上方には、固定部材１４が設けられている。
他方の戸１ｂの下端部には、回転自在のガイドプーリー１２が取り付けられており、このガイドプーリー１２の下端部は敷居溝３内に位置している。また、戸１ｂの上部には、回転自在の滑車１５が取り付けられている。また、戸１ｂには重りの昇降をガイドする重りガイド１６が設けられている。
【００１１】
固定部材１４には、ゴムベルトからなる閉塞帯１３の一端部が固定されている。この閉塞帯１３は、ガイドプーリー１１に巻き掛けられて敷居溝３内に敷設され、さらにガイドプーリー１２に巻き掛けられて上方に引き上げられ、滑車１５に巻き掛けられて下方に延ばされる。そして、下方に延ばされた閉塞帯１３の他端部には、重り１７が吊り下げられており、これにより閉塞帯１３に張力が与えられている。
【００１２】
清掃用回転ブラシ１８は、図２に示すように、戸１ｂに固定された軸受５ａ、５ｂに回転自在に支持された回転軸１９と、回転軸１９に固定された回転板２０と、を有する。
回転軸１９は、敷居２の縁６に平行且つ戸１ｂの移動方向に対して傾いて戸１ｂに回転自在に支持されている。
回転板２０の周側面には樹脂繊維が植毛されており、回転板２０が戸１ｂが移動するときに移動する回転板２０と閉塞帯１３との間で働く摩擦力により回転板２０が回転し、閉塞帯１３の表面を掃きながら進む。
【００１３】
次に、動作について説明する。
図１に示す全閉状態の戸１ａ、１ｂが開き始めると、一方の戸１ａの固定部材１４で戸１ａに固定された閉塞帯１３がガイドプーリー１２および滑車１５によるガイドで戸１ｂ側から引き出され、重り１７による張力を保ちながら出入口の敷居溝３を閉塞する。そして、戸１ａ、１ｂが全開状態まで開かれると、図３に示すように、敷居溝３の出入口に現れる箇所は閉塞帯１３により閉塞されている。
一方、図３に示すように全開状態の戸１ａ、１ｂが閉まり始めると、閉塞帯１３はガイドプーリー１２および滑車１５によるガイド及び重り１７の重力により戸１ｂ側に収納されていく。
【００１４】
このように戸１ａ、１ｂが開閉すると閉塞帯１３が敷居溝３内に敷設されたり、敷居溝３内から戸１ｂ内に収納されたりする。このとき清掃用回転ブラシ１８の回転板２０が戸１ｂの移動にともない閉塞帯１３の上面に接しながら回転し、閉塞帯１３の上面に異物があれば異物を掃いて閉塞帯１３を清掃する。
【００１５】
この発明の実施の形態に係るエレベータ装置は、戸開時に出入口の敷居溝３内に敷設され敷居溝３を閉塞する帯状の閉塞帯１３と、閉塞帯１３が巻き掛けられた滑車１５と、閉塞帯１３の端部に吊り下げられ且つ戸開時に閉塞帯１３に張力を与えるとともに戸閉時にはその重量により閉塞帯を滑車側に収納する重り１７と、出入口の敷居溝３内に敷設された閉塞帯１３を収納するとき閉塞帯１３の上面を清掃する清掃用回転ブラシ１８と、を備えるので、閉塞帯１３を戸１ｂ内に収納するとき閉塞帯１３の上面には異物がなく、閉塞帯１３とガイドプーリー１２および閉塞帯１３と滑車１５の間に異物を噛み込むことがなくなる。
【００１６】
また、清掃用回転ブラシ１８では、戸１ｂの移動方向に対して回転軸１９が傾いており、回転軸１９に固定された回転板２０が閉塞帯１３の上面を閉塞帯１３の長手方向に対して斜め方向に掃くので、回転板２０が閉塞帯１３との間での摩擦力により回転するとともに異物を閉塞帯１３の側に掃き払うことができる。
【図面の簡単な説明】
【００１７】
【図１】この発明の実施の形態に係るエレベータ装置の乗りカゴの全閉位置に位置する戸の正面図である。
【図２】この発明の実施の形態に係る戸の内部に配備されたガイドプーリーおよび清掃用回転ブラシを上方から見た図である。
【図３】この発明の実施の形態に係るエレベータ装置の乗りカゴの全開位置に位置する戸の正面図である。
【符号の説明】
【００１８】
１、１ａ、１ｂ  戸、２  敷居、３  敷居溝、５ａ、５ｂ  軸受、６  （敷居の）縁、１１、１２  ガイドプーリー、１３  閉塞帯、１４  固定部材、１５  滑車、１６  重りガイド、１７  重り、１８  清掃用回転ブラシ、１９  回転軸、２０  回転板。
【図１】
0005137645.tif 000002
【図２】
0005137645.tif 000003
【図３】
0005137645.tif 000004